(57)【要約】      （修正有）【課題】従来のＭＩＳに手を加えることなく、ＭＩＳがＰｒｅｐｒｅｓｓのＧａｎｇジョブ処理に対応した実績・進捗管理を行うことが出来る印刷システムを提供する。【解決手段】ＭＩＳがＰｒｅｐｒｅｓｓへＪｏｂ１とＪｏｂ２のジョブを投入（１００，１０１）した後、ＰｒｅｓｓはそれらをＪｏｂ３に合成（１０２）してＰｒｅｓｓへ送信する（１０３）。ＭＩＳはその後、Ｊｏｂ１に関する情報をＰｒｅｓｓに問い合わせるために、まずＰｒｅｐｒｅｓｓへ問い合わせる（１０４）。Ｐｒｅｐｒｅｓｓは、Ｊｏｂ１がＪｏｂ３に対応することを返す（１０５）。ＭＩＳはＪｏｂ１とＪｏｂ３の関係を記憶する（１０６）。【選択図】図３
2015022683.tif 000002
【特許請求の範囲】
【請求項１】
複数のジョブから得られる複数の印刷画像を一つの印刷ジョブに合成し、当該印刷ジョブの印刷結果を断裁することにより元の複数ジョブの結果を得る印刷システムにおいて、
複数の合成元ジョブを生成するジョブ生成手段、
前記複数の合成元ジョブを一つの合成後ジョブに合成するジョブ合成手段、
前記合成後ジョブを処理するジョブ処理手段、
前記ジョブ生成手段へ前記ジョブ処理手段がジョブ情報を提供するジョブ情報提供手段、
前記ジョブ合成手段から前記ジョブ処理手段がジョブの合成に関する情報を問い合わせるジョブ合成情報問い合わせ手段、
前記ジョブ合成問い合わせ手段に応じて前記ジョブの合成に関する情報を前記ジョブ処理手段へ返すジョブ合成情報返送手段、
を備えることを特徴とする印刷システム。
【発明の詳細な説明】
【技術分野】
【０００１】
本発明は、印刷ジョブの処理実績情報を管理するための印刷システムに関する。
【背景技術】
【０００２】
第三者（顧客、クライアント）から印刷物の作成依頼を受注し、印刷物を作成する商業的印刷業界において、受注した印刷ジョブのコストを管理するために印刷処理の実績情報を収集する（特許文献１参照）。
【０００３】
印刷業者は、ジョブの管理およびジョブ生成のために、ＭＩＳ（Ｍａｎａｇｅｍｅｎｔ  Ｉｎｆｏｒｍａｔｉｏｎ  Ｓｙｓｔｅｍ）とＰｒｅｐｒｅｓｓシステムを用いる。ＭＩＳは、Ｐｒｅｐｒｅｓｓシステムへ受注情報を送り、Ｐｒｅｐｒｅｓｓシステムは、コンテンツデータ及びデバイスの制御パラメータを生成して印刷装置および後加工装置へ送る。
【０００４】
ＭＩＳは、印刷装置および後加工装置から、ジョブの進捗情報および処理実績情報を収集する。
【先行技術文献】
【特許文献】
【０００５】
【特許文献１】特開2004-102809号公報
【発明の概要】
【発明が解決しようとする課題】
【０００６】
ギャングアップは必ずしもＭＩＳと印刷装置、後加工装置の間で合意されてジョブ合成されるものとは限らない。
【０００７】
Ｐｒｅｐｒｅｓｓシステムにおいてギャングアップ処理がなされ、複数のジョブが一つに合成された場合、ＭＩＳは受注ジョブが合成されたことを関知できない。また、印刷装置および後加工装置は受信したジョブがギャングアップによるものであることを関知できない。この結果、ＭＩＳが印刷装置および後加工装置から実績情報の収集を行おうとしても、該当するジョブが見つからないという課題がある。
【課題を解決するための手段】
【０００８】
複数のジョブから得られる複数の印刷画像を一つの印刷ジョブに合成し、当該印刷ジョブの印刷結果を断裁することにより元の複数ジョブの結果を得る印刷システムにおいて、
複数の合成元ジョブを生成するジョブ生成手段、
前記複数の合成元ジョブを一つの合成後ジョブに合成するジョブ合成手段、
前記合成後ジョブを処理するジョブ処理手段、
前記ジョブ生成手段へ前記ジョブ処理手段がジョブ情報を提供するジョブ情報提供手段、
前記ジョブ合成手段から前記ジョブ処理手段がジョブの合成に関する情報を問い合わせるジョブ合成情報問い合わせ手段、
前記ジョブ合成問い合わせ手段に応じて前記ジョブの合成に関する情報を前記ジョブ処理手段へ返すジョブ合成情報返送手段、
を備える。
【発明の効果】
【０００９】
本発明によれば、従来のMISに手を加えることなく、MISがPrepressのGangジョブ処理に対応した実績・進捗管理を行うことが出来るようになる。
【図面の簡単な説明】
【００１０】
【図１】システム構成の例を示すブロック図
【図２】ギャングアップ合成ジョブの例
【図３】ジョブ投入および情報問い合わせのシーケンスの例
【図４】Ｐｒｅｐｒｅｓｓが保持するジョブ対応表の例
【図５】Ｐｒｅｓｓが保持するジョブ管理表の例
【図６】Ｐｒｅｓｓが保持するジョブ対応表の例
【図７】Ｐｒｅｐｒｅｓｓにおけるジョブ生成のフローチャート
【図８】ＰｒｅｐｒｅｓｓにおけるＰｒｅｓｓからの問い合わせに対応するフローチャート
【図９】Ｐｒｅｓｓにおけるジョブ受信時のフローチャート
【図１０】ＰｒｅｓｓにおけるＭＩＳからの問い合わせに対応するフローチャート
【発明を実施するための形態】
【００１１】
以下、本発明を実施するための最良の形態について図面を用いて説明する。
【００１２】
図１は、本発明における印刷システムの例を示すブロック図である。
【００１３】
本実施例において、ＭＩＳ（１）は受注情報に従って、印刷および製本のジョブをＰｒｅｐｒｅｓｓへ（２）へ送信する。さらにＰｒｅｐｒｅｓｓ（２）は受信したＭＩＳ（１）からのジョブに従って、更に詳細なジョブデータとコンテンツデータを作成してＰｒｅｓｓ（３）およびＰｏｓｔｐｒｅｓｓ（４）へ送信する。Ｐｒｅｓｓ（３）は、印刷制御部（３０）にて画像形成を行い、ジョブ管理部（３１）がＰｒｅｐｒｅｓｓ（２）から受信したジョブを処理する。Ｐｒｅｐｒｅｓｓ（２）から送られるジョブが断裁処理を含む場合にはＰｒｅｓｓにおける印刷出力（５）をＰｏｓｔｐｒｅｓｓ（４）の入力として処理する。
【００１４】
Ｐｏｓｔｐｒｅｓｓ（４）は、制御部（４０）にて断裁制御を行い、ジョブ管理部（４１）がＰｒｅｐｒｅｓｓ（２）から受信したジョブを処理する。また、ＭＩＳ（１）はＰｒｅｓｓ（３）およびＰｏｓｔｐｒｅｓｓ（４）に対してジョブの進捗状態あるいは実績情報を問い合わせることによって、印刷システムのコスト管理を行う。
【００１５】
図において（１）から（４）はイーサネット（登録商標）などの通信線により接続されており、データを交換できるよう構成されている。
【００１６】
図２は、本実施例におけるギャングアップ合成ジョブの例を示した図である。図において、ジョブ識別子(JobID)がJob1とJob2という二つのジョブの入稿コンテンツデータをページ単位で合成し、ジョブ識別子がJob3という新しいジョブを生成していることを示している。このジョブはさらにJob3用の断裁ジョブによりまとめて断裁され、元のJob1とJob2の印刷結果を得ることが出来る。
【００１７】
図３は、図２の例に対応して、Ｐｒｅｐｒｅｓｓによって合成されたギャングアップジョブの情報をＭＩＳが問い合わせる時の例を示すシーケンス図である。
【００１８】
ＭＩＳ（１）がＰｒｅｐｒｅｓｓ（２）へJob1とJob2のジョブを投入（１００、１０１）した後、Ｐｒｅｐｒｅｓｓ（２）はそれらをJob3に合成（１０２）してＰｒｅｓｓ（３）へ送信する（１０３）。ＭＩＳはその後、Job1に関する情報をＰｒｅｓｓ（３）に問い合わせる（１０４）。Ｐｒｅｓｓ（３）はJob1の情報を返すためにＰｒｅｐｒｅｓｓ（２）へ問い合わせる（１０５、１０６）。なお、該当する情報（Job1）が得られるまで１０５、１０６の処理は繰り返される。そして、Ｐｒｅｓｓ（３）は自身が持つJob3の情報をJob1の情報としてＭＩＳ（１）へ返す。
【００１９】
ＭＩＳ（１）はＰｏｓｔｐｒｅｓｓ（４）に対しても同様にジョブに関する情報の問い合わせを行うが、Ｐｏｓｔｐｒｅｓｓ（４）もＰｒｅｓｓ（３）と同様の処理を行うものとする。ＭＩＳ、Ｐｒｅｐｒｅｓｓ、Ｐｒｅｓｓ、Ｐｏｓｔｐｒｅｓｓでやり取りされる情報について図４、図５、図６を例に示す。
【００２０】
図４は、Ｐｒｅｐｒｅｓｓ（２）がジョブ記憶部（２５）に保持するジョブ対応表の例である。「送信ジョブ識別子」はＰｒｅｓｓあるいはＰｏｓｔｐｒｅｓｓへ送信したジョブの識別子である。「送信先」は対応する送信先である。「受信ジョブ識別子」は対応する、ＭＩＳから受信したジョブの識別子である。ギャングアップ合成ジョブの場合、「受信ジョブ識別子」は合成元の複数のジョブ識別子が列挙されている。
【００２１】
図５は、Ｐｒｅｓｓ（３）がジョブ記憶部（３３）に保持するジョブ管理表である。この表にはＭＩＳからの問い合わせに対応するジョブの情報が保持されている。「ジョブ識別子」はＰｒｅｐｒｅｓｓからジョブを受信したときのジョブ識別子である。「ステータス」はジョブ識別子に対応する現在のジョブの状態を示す。「実績部数」はジョブ識別子に対応する出力済み部数を示す。「実績ページ数」はジョブ識別子に対応する出力済みページ数を示す。
【００２２】
図６は、Ｐｒｅｓｓ（３）がジョブ記憶部（３３）に保持するジョブ対応表である。図６は更に、Ｐｒｅｐｒｅｓｓ（２）への問い合わせの前後の変化も示している。「問い合わせジョブ識別子」はＭＩＳから問い合わせを受けるジョブの識別子である。「対応ジョブ識別子」はＭＩＳからの問い合わせに対応する情報を持つジョブ識別子である。合成ジョブで無い限り、通常、問い合わせジョブ識別子と対応ジョブ識別子は一致している。「チェック済み」は、そのジョブ識別子に関してＰｒｅｐｒｅｓｓへ問い合わせたことがあるか否かを示すフラグである。
【００２３】
図６に示す、Ｐｒｅｐｒｅｓｓ問い合わせ前の状態では、Job1とJob2に関する情報が無い。Ｐｒｅｐｒｅｓｓ問い合わせ後、ＭＩＳからJob1とJob2について問い合わせがあった場合にはJob3の情報を返せば良いことが分かるようになる。
【００２４】
図７は、Ｐｒｅｐｒｅｓｓがギャングアップのためにジョブを合成する処理のフローチャートである。ＭＩＳからジョブを受信すると、合成するか否かを判断（Ｓ１００１）する。合成する場合（Ｓ１００７〜Ｓ１０１２）には、ジョブを合成した後、図４の例に示すジョブ対応表に合成されたジョブと合成元のジョブの対応を記録しておく。合成しない場合、次に来るジョブと合成するために一時保留としておく（Ｓ１００３）、あるいは、そのままジョブを生成してジョブ対応表に記録する（Ｓ１００４〜Ｓ１００５）。
【００２５】
図８は、Ｐｒｅｐｒｅｓｓ（２）がＰｒｅｓｓあるいはＰｏｓｔｐｒｅｓｓからジョブの対応の問い合わせを受けた場合の処理のフローチャートである。ジョブ対応計算部（２６）は、図４の例に示すジョブ対応表を順に調べていく（Ｓ１１０１、Ｓ１１０２、Ｓ１１０３、Ｓ１１０６）。そして、ジョブ対応計算部（２６）は、送信ジョブ識別子と送信先の組合せが、問い合わせを受けているジョブ識別子と問い合わせ元に一致する行を見つけ出し、元のジョブ識別子のリストを特定する（Ｓ１１０４）。データ送受信部（２４）は、特定したジョブのリストを返す（Ｓ１１０５）。一方、ジョブ対応表から該当するジョブが見つからなかった場合にはエラーを返す（Ｓ１１０７）。
【００２６】
図９は、Ｐｒｅｐｒｅｓｓからのジョブを受信したＰｒｅｓｓ（３）がジョブの識別子の情報を記録する処理のフローチャートである。データ送受信部（３２）がＰｒｅｐｒｅｓｓから受信したジョブ（Ｓ１２０１）の内容に従って、ジョブ管理部（３１）はジョブ管理表とジョブ対応表を更新する（Ｓ１２０２、Ｓ１２０３）。なお、印刷処理そのものについては、ジョブ管理表に従って、印刷制御部（３０）が独立して処理するものとする。
【００２７】
図１０は、ＰｒｅｓｓがＭＩＳからジョブの問い合わせを受けた場合の処理のフローチャートである。ジョブ対応計算部（３４）は、問い合わせを受けたジョブ識別子のジョブが図５の例に示すジョブ管理表にあるかを調べる（Ｓ１３０１）。ジョブ管理表にあった場合には、該当する情報をＭＩＳへ返す。無かった場合には、図６に示すジョブ対応表の問い合わせジョブ識別子にあるかを調べる（Ｓ１３０２）。既にジョブ対応表にあった場合には、対応ジョブ識別子を取得して、改めてジョブ管理表から該当する情報を取得してＭＩＳへ返す（Ｓ１３０９〜Ｓ１３１１）。それでも無かった場合には、Ｐｒｅｐｒｅｓｓへ問い合わせ、問い合わせ結果からジョブ対応表を更新する（Ｓ１３０３〜Ｓ１３０８）。更新した情報に従って、ＭＩＳへ情報を返す。
【００２８】
以上で、ギャングアップ合成ジョブに関する情報の問い合わせに対応した処理は終了する。Ｐｏｓｔｐｒｅｓｓについても同様の処理によって、ＭＩＳからの問い合わせに対応する。なお、本実施例では、ＰｒｅｓｓおよびＰｏｓｔｐｒｅｓｓが１台ずつの構成で説明したが、それぞれ複数台接続されていても良い。
【符号の説明】
【００２９】
１  ＭＩＳ
２  Ｐｒｅｐｒｅｓｓ
３  Ｐｒｅｓｓ
４  Ｐｏｓｔｐｒｅｓｓ
【図１】
2015022683.tif 000003
【図２】
2015022683.tif 000004
【図３】
2015022683.tif 000005
【図４】
2015022683.tif 000006
【図５】
2015022683.tif 000007
【図６】
2015022683.tif 000008
【図７】
2015022683.tif 000009
【図８】
2015022683.tif 000010
【図９】
2015022683.tif 000011
【図１０】
2015022683.tif 000012